(57)【要約】【課題】折り畳んだ衣類から容易に引き抜くことができることにより、衣類の折り畳み作業を迅速に行うことができ、又、衣類を折り畳み袋に入れる作業も同様に行うことができる衣類折り畳み具を提供する点にある。点にある。【解決手段】衣類を一定の大きさ及び形状に折り畳む際に型板として用いる衣類の折り畳み具１であって、略矩形の板材２に、衣類に対する載置位置を示す目印３と、下辺に切欠き４とを備えた。【選択図】図２
0003171628.tif 000002
【実用新案登録請求の範囲】
【請求項１】
衣類を一定の大きさ及び形状に折り畳む際に型板として用いる衣類の折り畳み具であって、
略矩形の板材に、衣類に対する載置位置を示す目印と、下辺に切欠きとを設けたことを特徴とする衣類折り畳み具。
【請求項２】
前記板材の上辺の近傍に指を掛ける引抜用孔を設けてなる請求項１記載の衣類折り畳み具。
【請求項３】
前記板材の略全範囲に亘って複数の小孔を有してなる請求項１記載の衣類折り畳み具。
【請求項４】
前記板材の中央部以外の略全範囲に亘って複数の小孔を有すると共に、前記中央部に文字や画像の表示部を設けてなる請求項１記載の衣類折り畳み具。
【請求項５】
前記目印を、少なくとも表裏面の何れか一方の上辺近傍に設けた、上辺に平行な直線としてなる請求項１〜４の何れか１項に記載の衣類折り畳み具。
【請求項６】
前記切欠きを略半円形状とすると共に前記下辺の略中央に配置してなる請求項１〜５の何れか１項に記載の衣類折り畳み具。
【考案の詳細な説明】
【技術分野】
【０００１】
本考案は、衣類を折り畳むために型板として用いる衣類折り畳み具に関し、更に詳しくは、折り畳んだ衣類を容易に袋に入れて包装することもできる衣類折り畳み具に関するものである。
【背景技術】
【０００２】
従来、洋服販売や衣類の画像転写サービス等では、販売に際して対象となる衣類を折り畳む又は折り畳んで袋に入れる作業が必要であり、対象となる衣類の数量が多い場合にはかなりの時間と労力を要し、又、時間を短縮するために作業速度を速めようとすると折り畳み形状が美しく整形されず商品価値が低下する問題もあった。
このような課題を解消するものとして、シャツ類を一定の大きさ及び形状に整形して折り畳む際に型板として用いるシャツ類の折り畳み整形用補助具であって、長方形状の板部材と、該板部材の上部短辺側中央部に配設した摘まみ用突起部材からなるものがある（例えば、特許文献１参照。）。
【先行技術文献】
【特許文献】
【０００３】
【特許文献１】登録実用新案第３１０１６５７号公報
【考案の概要】
【考案が解決しようとする課題】
【０００４】
特許文献１に記載のシャツ類の折り畳み整形用補助具は、折り畳み作業において、シャツに添接することにより折り畳み操作を補助し、折り畳み作業終了後にシャツの間から引き抜いて離脱させることにより、シャツの折り畳み作業を容易に行うことができるものである。
しかし、この補助具は、単に長方形状の板部材の片面の上中央部に摘まみ用突起部材を設けたものであり、補助具を用いてシャツを折り畳んだ後に当該補助具をシャツの間から引き抜く際、補助具側に関しては摘まみ用突起部材を摘まむことで補助具のみを持つことができるものの、シャツ側に関してはシャツのみを把持することが難しく、折り畳んだシャツの型を崩さずに補助具を引き抜くことが容易でない。
また、シャツを折り畳んで袋に入れる場合には、滑り易い袋を介してシャツを持つ必要があり更なる困難が伴う作業となる。
ここで、シャツの上下方向の折り畳みではシャツの胴部（見頃）下端をシャツの背中側上端部まで位置するようにシャツを上下方向において約半分程度に折り畳むと、折り畳んだシャツが嵩張らず又折り畳み形状も美しくなるため理想的と言える。しかし、特許文献１に記載の補助具ではシャツを折り畳んだ後に摘まみ用突起部材が隠れないように折り畳む必要があり、理想的な折り畳み方ができない。
さらに、この補助具は上部短辺を、シャツの背面の左右中心の上端部に揃えるように載置して使用するが、この載置位置において補助具よりもシャツが上方向へ位置していると（特許文献１の図２（ａ））、折り畳んだシャツの上側両端部が補助具に引っ掛かり、補助具の引き抜き作業を容易に行うことができない。
【０００５】
本考案が前述の状況に鑑み解決しようとするところは、折り畳んだ衣類から容易に引き抜くことができることにより、衣類の折り畳み作業を迅速に行うことができ、又、衣類を折り畳み袋に入れる作業も同様に行うことができる衣類折り畳み具を提供する点にある。
【課題を解決するための手段】
【０００６】
本考案に係る衣類折り畳み補助具は、前記課題解決のために、衣類を一定の大きさ及び形状に折り畳む際に型板として用いる衣類の折り畳み具であって、略矩形の板材に、衣類に対する載置位置を示す目印と、下辺に切欠きとを設けたことを特徴とする衣類折り畳み具である。
【０００７】
ここで、前記板材の上辺の近傍に指を掛ける引抜用孔を設けてなると好ましい。
【０００８】
又、前記板材の略全範囲に亘って複数の小孔を有してなるとより好ましい。
【０００９】
更に、前記板材の中央部以外の略全範囲に亘って複数の小孔を有すると共に、前記中央部に文字や画像の表示部を設けたものであってもよい。
【００１０】
更に又、前記目印を、少なくとも表裏面の何れか一方の上辺近傍に設けた、上辺に平行な直線としてなるとより好ましい。
【００１１】
又、前記切欠きを略半円形状とすると共に前記下辺の略中央に配置してなるとより好ましい。
【考案の効果】
【００１２】
本考案に係る衣類折り畳み具によれば、目印により衣類に対して衣類折り畳み具を適切な載置位置に載置することができ、また、下辺に切欠きがあることで衣類から衣類折り畳み具を引き抜く際に、当該切欠きの領域内の衣類のみを挟持して衣類折り畳み具を引き抜くことができるため、結果として折り畳み作業を容易且つ迅速に行うことが可能となる。
【００１３】
前記板材の上辺の近傍に指を掛ける引抜用孔を設けてなると、衣類から衣類折り畳み具を引き抜く際に、指を引抜用孔に掛けて引き抜くことができる。また、他の折り畳み作業や持運びにおいても取扱いが容易となる。
【００１４】
又、前記板材の略全範囲に亘って複数の小孔を有してなると、一定の剛性を備えたままで軽量化を図ることができるうえ、折り畳み作業中以外の持運びにおいてもより有利なものとなる。
【００１５】
さらに、前記板材の中央部以外の略全範囲に亘って複数の小孔を有すると共に、前記中央部に文字や画像の表示部を設けてなるものによれば、使用方法や商品名、広告等を記載することができ、商品価値をより高いものとすることができる。
【００１６】
前記目印を、少なくとも表裏面の何れか一方の上辺近傍に設けた、上辺に平行な直線としてなるものによれば、衣類の上端に、衣類折り畳み具の直線状の目印を合わせて載置することで適切な位置及び角度で衣類の折り畳み作業を開始することが可能となる。又、折り畳み作業を行う前の載置位置において、衣類が衣類折り畳み具よりも下方に位置し、左右方向の折り畳み作業を行った後でも衣類が衣類折り畳み具に引っ掛かることがなく、引き抜き作業を容易に行うことができる。
【００１７】
前記切欠きを略半円形状とすると共に前記下辺の略中央に配置してなると、衣類を下辺の両端部近傍の直線部分に沿って折り曲げることで折り畳み形状を美しくすることができる。
【００１８】
前記衣類折り畳み具を用いて衣類を折り畳む方法によれば、衣類を迅速に折り畳むことができるうえ、折り畳み作業の後に衣類折り畳み具を容易に引き抜くことができるため、特別な技術を有しない者であっても衣類を綺麗に折り畳んだ状態とすることが可能である。
【図面の簡単な説明】
【００１９】
【図１】本考案の実施の形態に係る衣類折り畳み具の構成を示す斜視図である。
【図２】同じく衣類折り畳み具の構成を示す正面図である。
【図３】同じく衣類折り畳み具の構成を示す背面図である。
【図４】同じく衣類折り畳み具の使用方法を示す説明図であり、（ａ）はＴシャツの上に衣類折り畳み具を載置した状態、（ｂ）は衣類折り畳み具の左右辺に沿ってＴシャツの左右端を折り畳んだ状態、（ｃ）はＴシャツの下端を上方へ折り畳んだ状態、（ｄ）は衣類折り畳み具の下辺に沿って下部を上方へ折り畳んだＴシャツを袋に入れる状態、（ｅ）は衣類折り畳み具と共にＴシャツを袋に入れた状態、（ｆ）は袋に入れたＴシャツから衣類折り畳み具を引き抜いた状態、（ｇ）は折り畳みと袋入れの作業が完了した状態を示している。
【図５】本考案の他の実施の形態に係る衣類折り畳み具の構成を示す正面図であり、（ａ）は孔を長孔としたもの、（ｂ）は目印を衣類の画像としたもの、（ｃ）は衣類の位置確認用孔を設けたもの、（ｄ）上部に把持部を設けたものを示している。
【考案を実施するための形態】
【００２０】
次に、本考案の実施の形態を添付図面に基づき詳細に説明するが、本考案は、添付図面に示された形態に限定されず特許請求の範囲に記載の要件を満たす実施形態の全てを含むものである。
【００２１】
本明細書では、図２において上下方向及び左右方向を決定することとし、図２に示された面を衣類折り畳み具の表面とする。
【００２２】
本実施形態に係る衣類折り畳み具は、図１乃至図３に示すように、略矩形の板材２に直線状の目印３と切欠き４と複数の小孔６、６、６・・・を設けてなるものであり、小孔６の存在しない中央部分は文字や画像を記載する表示部７としている。
【００２３】
板材２は、上辺２ａ及び左右辺２ｂ、２ｃを直線状、下辺２ｄを中央に半円状の切欠き４を有すると共にその他を直線状として形成された矩形状のものである。外形寸法は、最終の折り畳み寸法及び形状により決定すればよいが、本実施の形態では約２５０ｍｍ×３００ｍｍの寸法の透明の包装用袋Ｂに入れるものとすべく、板材２の短手方向（横方向）の寸法は包装用袋Ｂの短手方向の寸法よりも少し小さく（２３０ｍｍ）すると共に、板材２の長手方向（縦方向）の寸法は包装用袋Ｂの長手方向の寸法よりも少し大きく（３９０ｍｍ）し、厚みを３，５ｍｍとしている。また、素材はポリエチレンであり、折り畳み作業や引き抜き作業を行い得る剛性を有する。
【００２４】
板材２の表面には折り畳む衣類の載置位置を示す目印３を設けている。目印３は下辺２ｄからの寸法が包装用袋Ｂの縦方向の寸法よりも小さく（２７５ｍｍ）設定している。
つまり、板材２の左右辺２ｂ、２ｃ及び下辺２ｄと目印３とにより形成される略矩形が衣類の折り畳み後の寸法及び形状を示すものとなる。
板材２の上辺２ａは左右辺２ｂ、２ｃに垂直な直線状となっているが、上辺２ａは折り畳み作業に作用することはなく、左右辺２ｂ、２ｃに垂直でなく又直線状でなくともよい。
【００２５】
板材２の下辺２ｄには略半円状の切欠き４を設けている。切欠き４は下辺２ｄの中央に位置し、その両端の下辺２ｄは直線状に形成されている。切欠き４が略半円状であると、板材２の強度をある程度維持しながら、引き抜き作業を行い易い切欠き４の大きさを得ることができる。
【００２６】
また、板材２には複数の小孔６、６、６、・・が設けられている。小孔６、６、６、・・・は全て同一形状及び同一寸法で形成され、隣接する小孔６、６、６、・・・との間隔は略等間隔で設けられている。これにより、板材２の一定の剛性を保ちながら軽量化及び製造材料コストの低廉化を実現している。
【００２７】
複数の小孔６、６、６、・・・の一部は、衣類から衣類折り畳み具１を引き抜く際に引抜用孔５として用いることができる。実際には目印３よりも上側に位置する小孔６、６、６、・・・は引抜用孔５、５、５、・・・となる。
引抜用孔５は、板材２の上部に設けた孔であるため当然に板材２の表裏面から突出するものではない。衣類折り畳み具１の表裏面には、他にも突出するものが存在しないため、嵩張らずに保管することができる。複数の衣類折り畳み具１、１、１、・・・を保管、運搬する場合にはより有効となる。
【００２８】
板材２の中央には小孔を設けず、文字や画像を記載することができる表示部７としている。表示部７には、例えば、衣類折り畳み具１の使用方法を記載することで初めて使用する者であっても簡単に衣類を折り畳むことができるようにしたり、広告を記載して販促品として用いたりすることができる。
この表示部７は板材２の何処にあっても構わないが、中央にあることで重量のバランスを保ちながら、折り畳み作業において負荷のかかりやすい衣類折り畳み具１の中央の強度を高く保つことができる。
【００２９】
本実施形態に係る衣類折り畳み具１を用いてＴシャツ（衣類）Ｓを折り畳んで透明な包装用袋Ｂに入れる方法について説明する。
【００３０】
本実施形態に係る衣類折り畳み具１は、ＴシャツＳの上に載置してその外形に沿ってＴシャツＳを折り畳み、折り畳んだＴシャツＳを衣類折り畳み具１と共に包装用袋Ｂに入れた後、衣類折り畳み具１のみを包装用袋Ｂ及びＴシャツＳから抜き取ってＴシャツＳを綺麗に折り畳んだ状態で包装用袋Ｂに入れることができるものである。
以下、図４（ａ）乃至（ｇ）に沿って、詳細に説明する。
【００３１】
先ず、（ａ）に示すようにＴシャツＳの上に衣類折り畳み具１を載置する。このとき、衣類折り畳み具１の目印３がＴシャツＳの上端に位置するように載置すると、折り畳み作業を行ううえで最適な位置に載置することができる。
次に、（ｂ）及び（ｃ）に示すようにＴシャツＳの左右両端を、衣類折り畳み具１の左右辺を利用して内側へ折り畳んだ後、ＴシャツＳの下端を上方へ折り畳む。折り畳んだＴシャツＳは、（ｄ）及び（ｅ）に示すように、衣類折り畳み具１と共に包装用袋Ｂに入れる。
最後に、衣類折り畳み具１をＴシャツＳから引き抜く。このとき、衣類折り畳み具１の切欠き４の領域内のＴシャツＳを持つと共に、衣類折り畳み具１を、引抜用孔５、５、５・・・に指を掛けて上方へ引く。そうすると、衣類折り畳み具１のみが上方へ引き抜かれて、（ｆ）及び（ｇ）に示すようにＴシャツＳが綺麗に折り畳まれた状態で包装用袋Ｂ内に残る。
【００３２】
次に、図５（ａ）乃至（ｄ）に基づき本考案に係る他の実施の形態を説明する。
（ａ）は、小孔６Ａを長孔とし、引抜用孔５Ａを上辺に平行な長孔として設けたものであり、引き抜き作業又は持運びの際に手を掛け易いものである。
（ｂ）は、目印３ＢをＴシャツＳの背面の画像としたものであり、使用方法が分かり易く、デザインとしても面白いものである。
（ｃ）は、板材２に衣類の位置確認用孔８を設けたものであり、ＴシャツＳに対する衣類折り畳み具１の載置位置を決定し易いものである。
（ｄ）は、板材２の上部に把持部９を設けたものであり、衣類折り畳み具１を持ち易く、操作しやすいものである。
【００３３】
その他の構成については、上記実施形態に係る衣類折り畳み具１と同様であり、同一構造については同一の符号を付してその説明を省略する。
【００３４】
以上の説明においては、衣類折り畳み具がポリエチレン製の板材によりなる場合を示したが、板材はこのような素材に限定されるものではなく、ある程度の剛性を有するものであれば他の素材であってもよく、例えば厚紙をもちいてより製造コストを低廉化したものであってもよい。
又、切欠きは略半円状且つ下辺の中央に位置するものでなくとも、矩形状やスリット形状等の他の形状や左右何れかの端部に位置するものであってもよい。
衣類はＴシャツに限らず、ワイシャツ等の上半身に着用する衣類又は男性用下着等の下半身に着用する衣類であって整形して折り畳む必要があるもの全てが対象となる。
【符号の説明】
【００３５】
１     衣類折り畳み具
２     板材
２ａ   上辺
２ｂ   左辺
２ｃ   右辺
２ｄ   下辺
３     目印
４     切欠き
５     引抜用孔
６     小孔
７     表示部
８     位置確認用孔
９     把持部
Ｂ     包装用袋
Ｓ     シャツ
【図１】
0003171628.tif 000003
【図２】
0003171628.tif 000004
【図３】
0003171628.tif 000005
【図４】
0003171628.tif 000006
【図５】
0003171628.tif 000007